(57)【特許請求の範囲】
【請求項１】
処理物が導入される投入口が形成された中空構造体と、
前記中空構造体内に形成され、導入された前記処理物を粉砕する粉砕室と、
前記粉砕室の下方に形成され、前記粉砕室から粉砕物が流入する粉砕物流入部と、
前記粉砕室にまで至るシャフトが取り付けられたモータと、
前記シャフトに回動自在に取り付けられ、前記粉砕室の内壁に向けて延びた可撓性を有する回転刃と、
前記粉砕室の内壁から突出して固定され、前記回転刃と協働して前記処理物を粉砕する固定刃と、
前記モータを保持し、弾性体を介して前記中空構造体に固定されたモータハウジングと、
前記中空構造体の側方に突出形成された中空構造体側支持片と、
前記モータハウジングの側方において前記中空構造体側支持片に対応して突出形成されたモータハウジング側支持片と、
一方端にストッパが設けられ、前記中空構造体側支持片に対して隙間をもって貫通して他方端が前記モータハウジング側支持片に固定された支持棒と、を備え、
前記中空構造体の上端は、シンクの底に緩衝ゴムを介して接続され、
前記モータハウジングと前記中空構造体とは互いに非接触な状態で前記弾性体を介して固定され、
前記弾性体は、前記ストッパと前記中空構造体側支持片との間および前記中空構造体側支持片と前記モータハウジング側支持片との間の少なくとも何れか一方に装着されたバネであることを特徴とするディスポーザ。
【請求項２】
前記弾性体は、前記バネに加えて、前記中空構造体側支持片と前記支持棒との隙間に取り付けられたブッシュであることを特徴とする請求項１記載のディスポーザ。
【請求項３】
処理物が導入される投入口が形成された中空構造体と、
前記中空構造体内に形成され、導入された前記処理物を粉砕する粉砕室と、
前記粉砕室の下方に形成され、前記粉砕室から粉砕物が流入する粉砕物流入部と、
前記粉砕室にまで至るシャフトが取り付けられたモータと、
前記シャフトに回動自在に取り付けられ、前記粉砕室の内壁に向けて延びた可撓性を有する回転刃と、
前記粉砕室の内壁から突出して固定され、前記回転刃と協働して前記処理物を粉砕する固定刃と、
前記モータを保持し、弾性体を介して前記中空構造体に固定されたモータハウジングと、
前記中空構造体の側方に突出形成された中空構造体側支持片と、
前記モータハウジングの側方において前記中空構造体側支持片に対応して突出形成されたモータハウジング側支持片と、
一方端にストッパが設けられ、前記モータハウジング側支持片に対して隙間をもって貫通して他方端が前記中空構造体側支持片に固定された支持棒と、を備え、
前記中空構造体の上端は、シンクの底に緩衝ゴムを介して接続され、
前記モータハウジングと前記中空構造体とは互いに非接触な状態で前記弾性体を介して固定され、
前記弾性体は、前記モータハウジング側支持片と前記支持棒との隙間に取り付けられたブッシュ、並びに前記ストッパと前記モータハウジング側支持片との間および前記中空構造体側支持片と前記モータハウジング側支持片との間の少なくとも何れか一方に装着されたバネであることを特徴とするディスポーザ。
【請求項４】
前記弾性体は、前記バネに加えて、前記モータハウジング側支持片と前記支持棒との隙間に取り付けられたブッシュであることを特徴とする請求項３記載のディスポーザ。
【請求項５】
処理物が導入される投入口が形成された中空構造体と、
前記中空構造体内に形成され、導入された前記処理物を粉砕する粉砕室と、
前記粉砕室の下方に形成され、前記粉砕室から粉砕物が流入する粉砕物流入部と、
前記粉砕室にまで至るシャフトが取り付けられたモータと、
前記シャフトに回動自在に取り付けられ、前記粉砕室の内壁に向けて延びた可撓性を有する回転刃と、
前記粉砕室の内壁から突出して固定され、前記回転刃と協働して前記処理物を粉砕する固定刃と、
前記モータを保持し、弾性体を介して前記中空構造体に固定されたモータハウジングと、
前記中空構造体の側方に突出形成された中空構造体側支持片と、
前記モータハウジングの側方において前記中空構造体側支持片に対応して突出形成されたモータハウジング側支持片と、
両端にストッパが設けられ、前記中空構造体側支持片および前記モータハウジング側支持片に対して隙間をもって貫通して設けられた支持棒と、を備え、
前記中空構造体の上端は、シンクの底に緩衝ゴムを介して接続され、
前記モータハウジングと前記中空構造体とは互いに非接触な状態で前記弾性体を介して固定され、
前記弾性体は、前記モータハウジング側支持片と前記支持棒との隙間に取り付けられたブッシュ、並びに前記ストッパと前記中空構造体側支持片との間および前記中空構造体側支持片と前記モータハウジング側支持片との間および前記ストッパと前記モータハウジング側支持片との少なくとも何れか一方に装着されたバネであることを特徴とするディスポーザ。
【請求項６】
前記弾性体は、前記バネに加えて、前記中空構造体側支持片と前記支持棒との隙間および前記モータハウジング側支持片と前記支持棒との隙間に取り付けられたブッシュであることを特徴とする請求項５記載のディスポーザ。
【請求項７】
前記支持棒および前記ストッパはねじ部材であることを特徴とする請求項１〜６の何れか一項に記載のディスポーザ。
【請求項８】
前記ねじ部材の突出高さを規制するスペーサがはめ込まれていることを特徴とする請求項７に記載のディスポーザ。
【発明の詳細な説明】
【０００１】
【発明の属する技術分野】
本発明は、厨芥や発泡トレー、ペットボトル等の処理物を粉砕するディスポーザに関するものである。
【０００２】
【従来の技術】
従来のディスポーザは処理物を粉砕する粉砕室があり、この粉砕室を形成するとともに上端が投入口となった筒状のホッパと、このホッパの下部と粉砕部の回転刃を駆動するモータとをボルト等で完全固定するという構造となっている。
【０００３】
そして、このディスポーザをシンクに取り付ける際に、シンク側にアダプタとなるシンクフランジを固定し、シンクフランジとディスポーザのホッパの上端を環状のゴムで接続している。この環状のゴムがディスポーザの振動がシンクへ伝達を防止する役目をしている。
【０００４】
【発明が解決しようとする課題】
しかしながら、環状のゴムだけではディスポーザの振動伝達を阻止するために十分ではなく、依然としてシンクへ振動が伝達されている。そして、そのシンクの振動により騒音が発生している。
【０００５】
そこで、本発明は、シンクへの振動伝達を阻止することのできるディスポーザを提供することを目的とする。
【０００６】
【課題を解決するための手段】
この課題を解決するために、本発明のディスポーザは、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室にまで至るシャフトが取り付けられたモータと、シャフトに固定された板状のランナを介して回動自在に取り付けられ、粉砕室の内壁に向けて延びた可撓性を有する回転刃と、粉砕室の内壁から突出して固定され、回転刃と協働して処理物を粉砕する固定刃と、モータを保持し、弾性体を介して中空構造体に固定されたモータハウジングと、中空構造体の側方に突出形成された中空構造体側支持片と、モータハウジングの側方において中空構造体側支持片に対応して突出形成されたモータハウジング側支持片と、一方端にストッパが設けられ、中空構造体側支持片に対して隙間をもって貫通して他方端がモータハウジング側支持片に固定された支持棒と、を備え、中空構造体の上端は、シンクの底に緩衝ゴムを介して接続され、モータハウジングと中空構造体とは互いに非接触な状態で弾性体を介して固定され、弾性体は、ストッパと中空構造体側支持片との間および中空構造体側支持片とモータハウジング側支持片との間の少なくとも何れか一方に装着されたバネである構成としたものである。
また、この課題を解決するために、本発明のディスポーザは、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室にまで至るシャフトが取り付けられたモータと、シャフトに固定された板状のランナを介して回動自在に取り付けられ、粉砕室の内壁に向けて延びた可撓性を有する回転刃と、粉砕室の内壁から突出して固定され、回転刃と協働して処理物を粉砕する固定刃と、モータを保持し、弾性体を介して中空構造体に固定されたモータハウジングと、中空構造体の側方に突出形成された中空構造体側支持片と、モータハウジングの側方において中空構造体側支持片に対応して突出形成されたモータハウジング側支持片と、一方端にストッパが設けられ、モータハウジング側支持片に対して隙間をもって貫通して他方端が中空構造体側支持片に固定された支持棒と、を備え、中空構造体の上端は、シンクの底に緩衝ゴムを介して接続され、モータハウジングと中空構造体とは互いに非接触な状態で弾性体を介して固定され、弾性体は、モータハウジング側支持片と支持棒との隙間に取り付けられたブッシュ、並びにストッパとモータハウジング側支持片との間および中空構造体側支持片とモータハウジング側支持片との間の少なくとも何れか一方に装着されたバネである構成としたものである。
また、この課題を解決するために、本発明のディスポーザは、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室にまで至るシャフトが取り付けられたモータと、シャフトに固定された板状のランナを介して回動自在に取り付けられ、粉砕室の内壁に向けて延びた可撓性を有する回転刃と、粉砕室の内壁から突出して固定され、回転刃と協働して処理物を粉砕する固定刃と、モータを保持し、弾性体を介して中空構造体に固定されたモータハウジングと、中空構造体の側方に突出形成された中空構造体側支持片と、モータハウジングの側方において中空構造体側支持片に対応して突出形成されたモータハウジング側支持片と、両端にストッパが設けられ、中空構造体側支持片およびモータハウジング側支持片に対して隙間をもって貫通して設けられた支持棒と、を備え、中空構造体の上端は、シンクの底に緩衝ゴムを介して接続され、モータハウジングと中空構造体とは互いに非接触な状態で弾性体を介して固定され、弾性体は、モータハウジング側支持片と支持棒との隙間に取り付けられたブッシュ、並びにストッパと中空構造体側支持片との間および中空構造体側支持片とモータハウジング側支持片との間およびストッパとモータハウジング側支持片との少なくとも何れか一方に装着されたバネである構成としたものである。
【０００７】
これにより、振動するモータを保持するモータハウジングは弾性体を介して中空構造体に固定されているので、モータハウジングの振動がダンピングされて中空構造体には伝わり難くなり、シンクへの振動伝達を阻止することが可能になる。
【０００８】
【発明の実施の形態】
本発明の請求項１に記載の発明は、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室にまで至るシャフトが取り付けられたモータと、シャフトに回動自在に取り付けられ、粉砕室の内壁に向けて延びた可撓性を有する回転刃と、粉砕室の内壁から突出して固定され、回転刃と協働して処理物を粉砕する固定刃と、モータを保持し、弾性体を介して中空構造体に固定されたモータハウジングと、中空構造体の側方に突出形成された中空構造体側支持片と、モータハウジングの側方において中空構造体側支持片に対応して突出形成されたモータハウジング側支持片と、一方端にストッパが設けられ、中空構造体側支持片に対して隙間をもって貫通して他方端がモータハウジング側支持片に固定された支持棒と、を備え、中空構造体の上端は、シンクの底に緩衝ゴムを介して接続され、モータハウジングと中空構造体とは互いに非接触な状態で弾性体を介して固定され、弾性体は、ストッパと中空構造体側支持片との間および中空構造体側支持片とモータハウジング側支持片との間の少なくとも何れか一方に装着されたバネであるディスポーザであり、振動するモータを保持するモータハウジングは弾性体であるバネを介して中空構造体に固定されているので、モータハウジングの振動がダンピングされて中空構造体には伝わり難くなり、シンクへの振動伝達を阻止することが可能になるという作用を有する。
【００１０】
本発明の請求項２に記載の発明は、請求項１記載の発明において、弾性体は、バネに加えて、中空構造体側支持片と支持棒との隙間に取り付けられたブッシュであるディスポーザであり、振動するモータを保持するモータハウジングは、バネおよびブッシュを介して中空構造体に固定されているので、モータハウジングの垂直方向の振動はバネで、水平方向の振動はブッシュでダンピングされて中空構造体には伝わり難くなり、シンクへの振動伝達を阻止することが可能になるという作用を有する。
【００１１】
本発明の請求項３に記載の発明は、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室にまで至るシャフトが取り付けられたモータと、シャフトに回動自在に取り付けられ、粉砕室の内壁に向けて延びた可撓性を有する回転刃と、粉砕室の内壁から突出して固定され、回転刃と協働して処理物を粉砕する固定刃と、モータを保持し、弾性体を介して中空構造体に固定されたモータハウジングと、中空構造体の側方に突出形成された中空構造体側支持片と、モータハウジングの側方において中空構造体側支持片に対応して突出形成されたモータハウジング側支持片と、一方端にストッパが設けられ、モータハウジング側支持片に対して隙間をもって貫通して他方端が中空構造体側支持片に固定された支持棒と、を備え、中空構造体の上端は、シンクの底に緩衝ゴムを介して接続され、モータハウジングと中空構造体とは互いに非接触な状態で弾性体を介して固定され、弾性体は、モータハウジング側支持片と支持棒との隙間に取り付けられたブッシュ、並びにストッパとモータハウジング側支持片との間および中空構造体側支持片とモータハウジング側支持片との間の少なくとも何れか一方に装着されたバネであるディスポーザであり、振動するモータを保持するモータハウジングは、弾性体であるバネを介して中空構造体に固定されているので、モータハウジングの振動がダンピングされて中空構造体には伝わり難くなり、シンクへの振動伝達を阻止することが可能になるという作用を有する。
【００１２】
本発明の請求項４に記載の発明は、請求項３記載の発明において、弾性体は、バネに加えて、モータハウジング側支持片と支持棒との隙間に取り付けられたブッシュであるディスポーザであり、振動するモータを保持するモータハウジングは、バネおよびブッシュを介して中空構造体に固定されているので、モータハウジングの垂直方向の振動はバネで、水平方向の振動はブッシュでダンピングされて中空構造体には伝わり難くなり、シンクへの振動伝達を阻止することが可能になるという作用を有する。
【００１３】
本発明の請求項５に記載の発明は、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室にまで至るシャフトが取り付けられたモータと、シャフトに回動自在に取り付けられ、粉砕室の内壁に向けて延びた可撓性を有する回転刃と、粉砕室の内壁から突出して固定され、回転刃と協働して処理物を粉砕する固定刃と、モータを保持し、弾性体を介して中空構造体に固定されたモータハウジングと、中空構造体の側方に突出形成された中空構造体側支持片と、モータハウジングの側方において中空構造体側支持片に対応して突出形成されたモータハウジング側支持片と、両端にストッパが設けられ、中空構造体側支持片およびモータハウジング側支持片に対して隙間をもって貫通して設けられた支持棒と、を備え、中空構造体の上端は、シンクの底に緩衝ゴムを介して接続され、モータハウジングと中空構造体とは互いに非接触な状態で弾性体を介して固定され、弾性体は、モータハウジング側支持片と支持棒との隙間に取り付けられたブッシュ、並びにストッパと中空構造体側支持片との間および中空構造体側支持片とモータハウジング側支持片との間およびストッパとモータハウジング側支持片との少なくとも何れか一方に装着されたバネであるディスポーザであり、振動するモータを保持するモータハウジングは、弾性体であるバネを介して中空構造体に固定されているので、モータハウジングの振動がダンピングされて中空構造体には伝わり難くなり、シンクへの振動伝達を阻止することが可能になるという作用を有する。
【００１４】
本発明の請求項６に記載の発明は、請求項５記載の発明において、弾性体は、バネに加えて、中空構造体側支持片と支持棒との隙間およびモータハウジング側支持片と支持棒との隙間に取り付けられたブッシュであるディスポーザであり、振動するモータを保持するモータハウジングは、バネおよびブッシュを介して中空構造体に固定されているので、モータハウジングの垂直方向の振動はバネで、水平方向の振動はブッシュでダンピングされて中空構造体には伝わり難くなり、シンクへの振動伝達を阻止することが可能になるという作用を有する。
【００１５】
本発明の請求項７に記載の発明は、請求項１〜６の何れか一項に記載の発明において、支持棒およびストッパはねじ部材であるディスポーザであり、振動するモータを保持するモータハウジングは、バネおよびブッシュを介して中空構造体に固定されているので、モータハウジングの垂直方向の振動はバネで、水平方向の振動はブッシュでダンピングされて中空構造体には伝わり難くなり、シンクへの振動伝達を阻止することが可能になるという作用を有する。
【００１６】
本発明の請求項８に記載の発明は、請求項７記載の発明において、ねじ部材の突出高さを規制するスペーサがはめ込まれているディスポーザであり、振動するモータを保持するモータハウジングは、バネおよびブッシュを介して中空構造体に固定されているので、モータハウジングの垂直方向の振動はバネで、水平方向の振動はブッシュでダンピングされて中空構造体には伝わり難くなり、シンクへの振動伝達を阻止することが可能になるという作用を有する。
【００１７】
以下、本発明の実施の形態について、図１から図６を用いて説明する。なお、これらの図面において同一の部材には同一の符号を付しており、また、重複した説明は省略されている。
【００１８】
（実施の形態１）
図１は本発明の実施の形態１によるディスポーザを示す断面図、図２は図１のディスポーザにおけるブラケットとホッパとの接続部を示す断面図である。
【００１９】
図１に示すディスポーザにおいて、略円筒形をしたホッパ（中空構造体）５内には、厨芥が粉砕される粉砕室２５が形成されている。そして、粉砕室２５の上方に開口して、厨芥などの処理物（本明細書においては、「処理物」のことを単に「厨芥」ということもある。）が投入される投入口２６が設けられている。
【００２０】
投入口２６には、この投入口２６を開閉する蓋３が着脱自在に取り付けられている。なお、蓋３は、厨芥が飛び出さないようにするとともに水を通過させるための貫通孔（図示せず）が形成されている。
【００２１】
また、ディスポーザ本体の上端外周縁は、アダプタであるシンクフランジ２を介してシンク１の底に固定されて流し台に装着されている。そして、シンクフランジ２とディスポーザ本体との間には、このシンクフランジ２とディスポーザ本体とを接続するとともにディスポーザのシンク１に対する振動伝達を防止する緩衝ゴム４が設置されている。
【００２２】
粉砕室２５の下方には、ホッパ５に固定されたブラケット（モータハウジング）１３に包囲されるようにしてモータ１４が設置されている。モータ１４から上方に延びるシャフト１５は粉砕室２５の下部中央に突出している。そして、モータ１４のシャフト１５に固定されたランナ７には、モータ１４により回転される回転刃２７が粉砕室２５の壁面に向けて回動自在に取り付けられている。
【００２３】
この回転刃２７は、ピン８を介してランナ７に回動自在に取り付けられローラチェーン９と、ローラチェーン９の先端に回動自在に取り付けられた破砕刃１０とから構成されている。したがって、このようなローラチェーン９および破砕刃１０により回転刃２７は可撓性を有している。
【００２４】
また、ホッパ５の内壁面には固定刃６が突出して取り付けられている。したがって、回転刃２７と固定刃６とが協働して粉砕処理が行われる。
【００２５】
なお、回転刃２７の下方に位置して、粉砕室２５の底面を構成する底板１１が固定されている。この底板１１はその周縁に複数の切り欠きが形成されており、破砕刃１０と協働して処理物を微粉砕する。
【００２６】
粉砕室２５とモータ１４との間には、粉砕室２５において粉砕された厨芥と水との混合物が流れ込む排出溝（粉砕物流入部）１２がブラケット１３に形成されている。そして、排出溝１２には、粉砕された厨芥を排出するための排水口（図示せず）が連通されている。
【００２７】
図２に示すように、ブラケット１３とホッパ５との間には、弾性を有して両者の間をシールして水の漏出を防止するシール材１７が装着されている。
【００２８】
ブラケット１３とホッパ５とは、ホッパ５から側方に突出形成されたホッパ側支持片（中空構造体側支持片）２０を貫通して、このホッパ側支持片２０に対応してブラケット１３から側方に突出形成されたブラケット側支持片（モータハウジング側支持片）２１のねじ孔にねじ込まれたねじ部材であるボルト（支持棒）１８により締結されている。ボルト１８の一方端である頭部（ストッパ）とブラケット側支持片２１との間にはボルト１８の突出高さを制限するスペーサ２２が、ホッパ側支持片２０に形成された孔に取り付けられて弾性を有するブッシュ（弾性体）２３を貫通してはめ込まれている。そして、ボルト１８の頭部とホッパ側支持片２０との間におけるスペーサ２２の外周にはバネ（弾性体）１９が装着されている。なお、バネ１９は弾性を有するゴム等でもよく、バネ１９とブッシュ２３をスプリング等で一体で形成してもよい。また、ボルト１８とホッパ側支持片２０との間に隙間が形成されていれば、ブッシュ２３は取り付けられていなくてもよい。
【００２９】
図示するように、ホッパ側支持片２０にはボルト１８およびスペーサ２２の径よりも大きい径の孔が、ブラケット側支持片２１にはネジ孔が形成されており、ホッパ側支持片２０の孔にブッシュ２３が取り付けられ、スペーサ２２およびバネ１９を介してボルト１８でホッパ５とブラケット１３とが弾性を有して接続されている。なお、ホッパ側支持片２０には、孔ではなく切り欠きを形成してもよい。
【００３０】
次に、以上のように構成された本実施の形態のディスポーザの動作について説明する。
【００３１】
先ず、ディスポーザの投入口２６の蓋３を外してホッパ５の中に厨芥を投入し、蓋３を投入口２６に装着する。
【００３２】
次に、水道の蛇口（図示せず）を開けて水を流しながらモータ１４を起動し、シャフト１５によりローラチェーン９と破砕刃１０を回転状態にする。するとローラチェーン９と破砕刃１０は遠心力によってホッパ５の内壁つまり粉砕室２５の内壁面と対向した状態となる。
【００３３】
投入された厨芥はローラチェーン９によって打撃され、遠心力によって破砕刃１０と固定刃６の方へ飛ばされる。そして、厨芥は固定刃６と高速で回転する破砕刃１０との間で切断されて破砕される。さらに、近接した破砕刃１０と底板１１の周縁に設けられた切り欠きとの間で微粉砕される。
【００３４】
以上のようにして細かく粉砕された厨芥は水と一緒に底板１１と粉砕室２５内壁との隙間から排出溝１２に流入し、排水口からディスポーザの外部へと排出される。
【００３５】
ここで、高速回転している破砕刃１０は厨芥と衝突を繰り返すために、ローラチェーン９は弾き飛ばされシャフト１５が取り付けられたモータ１４を振動させる。
【００３６】
そして、振動するモータ１４を保持するブラケット１３は、図２に示すように、弾性体であるバネ１９および弾性を有するブッシュ２３という弾性体を介してボルト１８によりホッパ５に固定されているので、垂直方向の振動はバネ１９で、水平方向の振動はブッシュ２３でダンピングされる。
【００３７】
そのため、ブラケット１３の振動はホッパ５には伝わり難くなり、さらに上方の緩衝ゴム４でダンピングされるので、シンク１への振動伝達を阻止することが可能になる。これにより、静かに厨芥を処理することができる。
【００３８】
なお、図２においてバネ１９はホッパ側支持片２０の上方に装着されているが、ホッパ側支持片２０とブラケット側支持片２１との間に装着したり、ホッパ側支持片２０の上方およびホッパ側支持片２０とブラケット側支持片２１のと間の両方に装着してもよい。また、ボルト１８はブラケット側支持片２１と一体に形成されたボルト１８の本体に相当する突起体の突端にボルト１８の頭部に相当するストッパを設けることでも代用でき、その際にはスペーサが不要になる。
【００３９】
（実施の形態２）
図３は本発明の実施の形態２によるディスポーザを示す断面図、図４は図３のディスポーザにおけるブラケットとホッパとの接続部を示す断面図である。
【００４０】
本実施の形態においては、図４に示すように、ブラケット１３とホッパ５とは、ブラケット側支持片２１を貫通してホッパ側支持片２０のねじ孔にねじ込まれたねじ部材であるボルト（支持棒）１８により締結されている。ボルト１８の一方端である頭部（ストッパ）とホッパ側支持片２０との間にはスペーサ２２が、ブラケット側支持片２１に形成された孔に取り付けられて弾性を有するブッシュ（弾性体）２３を貫通してはめ込まれている。そして、ボルト１８の頭部とブラケット側支持片２１との間におけるスペーサ２２の外周にはバネ（弾性体）１９が装着されている。なお、バネ１９は弾性を有するゴム等でもよく、バネ１９とブッシュ２３をスプリングやゴムなどの弾性体で一体で形成してもよい。また、ボルト１８とブラケット側支持片２１との間に隙間が形成されていれば、ブッシュ２３は取り付けられていなくてもよい。
【００４１】
図示するように、ブラケット側支持片２１にはボルト１８およびスペーサ２２の径よりも大きい径の孔が、ホッパ側支持片２０にはネジ孔が形成されており、ブラケット側支持片２１の孔にブッシュ２３が取り付けられ、スペーサ２２およびバネ１９を介してボルト１８でホッパ５とブラケット１３とが弾性を有して接続されている。なお、ブラケット側支持片２１には、孔ではなく切り欠きを形成してもよい。
【００４２】
次に、以上のように構成された本実施の形態のディスポーザの動作について説明する。
【００４３】
先ず、ディスポーザの投入口２６の蓋３を外してホッパ５の中に厨芥を投入し、蓋３を投入口２６に装着する。
【００４４】
次に、水道の蛇口（図示せず）を開けて水を流しながらモータ１４を起動し、シャフト１５によりローラチェーン９と破砕刃１０を回転状態にする。するとローラチェーン９と破砕刃１０は遠心力によってホッパ５の内壁つまり粉砕室２５の内壁面と対向した状態となる。
【００４５】
投入された厨芥はローラチェーン９によって打撃され、遠心力によって破砕刃１０と固定刃６の方へ飛ばされる。そして、厨芥は固定刃６と高速で回転する破砕刃１０との間で切断されて破砕される。さらに、近接した破砕刃１０と底板１１の周縁に設けられた切り欠きとの間で微粉砕される。
【００４６】
以上のようにして細かく粉砕された厨芥は水と一緒に底板１１と粉砕室２５内壁との隙間から排出溝１２に流入し、排水口からディスポーザの外部へと排出される。
【００４７】
ここで、高速回転している破砕刃１０は厨芥と衝突を繰り返すために、ローラチェーン９は弾き飛ばされシャフト１５が取り付けられたモータ１４を振動させる。
【００４８】
そして、振動するモータ１４を保持するブラケット１３は、図４に示すように、弾性体であるバネ１９および弾性を有するブッシュ２３という弾性体を介してボルト１８によりホッパ５に固定されているので、垂直方向の振動はバネ１９で、水平方向の振動はブッシュ２３でダンピングされる。
【００４９】
そのため、ブラケット１３の振動はホッパ５には伝わり難くなり、さらに上方の緩衝ゴム４でダンピングされるので、シンク１への振動伝達を阻止することが可能になる。これにより、静かに厨芥を処理することができる。
【００５０】
なお、図４においてバネ１９はブラケット側支持片２１の下方に装着されているが、ホッパ側支持片２０とブラケット側支持片２１との間に装着したり、ブラケット側支持片２１の下方およびホッパ側支持片２０とブラケット側支持片２１との間の両方に装着してもよい。また、ボルト１８はホッパ側支持片２０と一体に形成されたボルト１８の本体に相当する突起体の突端にボルト１８の頭部に相当するストッパを設けることでも代用でき、その際にはスペーサが不要になる。
【００５１】
（実施の形態３）
図５は本発明の実施の形態３によるディスポーザを示す断面図、図６は図５のディスポーザにおけるブラケットとホッパとの接続部を示す断面図である。
【００５２】
本実施の形態においては、図６に示すように、ブラケット１３とホッパ５とは、ホッパ側支持片２０およびブラケット側支持片２１を貫通してナット（ストッパ）２４にねじ込まれたねじ部材であるボルト（支持棒）１８により締結されている。ボルト１８の一方端である頭部（ストッパ）とナット２４との間にはスペーサ２２が、ホッパ側支持片２０およびブラケット側支持片２１に形成された孔に取り付けられて弾性を有するブッシュ（弾性体）２３を貫通してはめ込まれている。そして、ボルト１８の頭部とブラケット側支持片２１との間におけるスペーサ２２の外周、およびナット２４とホッパ側支持片２０との間におけるスペーサ２２の外周にはバネ（弾性体）１９が装着されている。なお、バネ１９は弾性を有するゴム等でもよく、バネ１９とブッシュ２３をスプリングやゴムなどの弾性体で一体で形成してもよい。また、ボルト１８とホッパ側支持片２０およびブラケット側支持片２１との間に隙間が形成されていれば、ブッシュ２３は取り付けられていなくてもよい。
【００５３】
図示するように、ホッパ側支持片２０およびブラケット側支持片２１にはボルト１８およびスペーサ２２の径よりも大きい径の孔が形成されており、ホッパ側支持片２０およびブラケット側支持片２１の孔にブッシュ２３が取り付けられ、スペーサ２２およびバネ１９を介してボルト１８とナット２４とでホッパ５とブラケット１３とが弾性を有して接続されている。なお、ホッパ側支持片２０およびブラケット側支持片２１には、孔ではなく切り欠きを形成してもよい。
【００５４】
次に、以上のように構成された本実施の形態のディスポーザの動作について説明する。
【００５５】
先ず、ディスポーザの投入口２６の蓋３を外してホッパ５の中に厨芥を投入し、蓋３を投入口２６に装着する。
【００５６】
次に、水道の蛇口（図示せず）を開けて水を流しながらモータ１４を起動し、シャフト１５によりローラチェーン９と破砕刃１０を回転状態にする。するとローラチェーン９と破砕刃１０は遠心力によってホッパ５の内壁つまり粉砕室２５の内壁面と対向した状態となる。
【００５７】
投入された厨芥はローラチェーン９によって打撃され、遠心力によって破砕刃１０と固定刃６の方へ飛ばされる。そして、厨芥は固定刃６と高速で回転する破砕刃１０との間で切断されて破砕される。さらに、近接した破砕刃１０と底板１１の周縁に設けられた切り欠きとの間で微粉砕される。
【００５８】
以上のようにして細かく粉砕された厨芥は水と一緒に底板１１と粉砕室２５内壁との隙間から排出溝１２に流入し、排水口からディスポーザの外部へと排出される。
【００５９】
ここで、高速回転している破砕刃１０は厨芥と衝突を繰り返すために、ローラチェーン９は弾き飛ばされシャフト１５が取り付けられたモータ１４を振動させる。
【００６０】
そして、振動するモータ１４を保持するブラケット１３は、図６に示すように、弾性体であるバネ１９および弾性を有するブッシュ２３という弾性体を介してボルト１８とナット２４によりホッパ５に固定されているので、垂直方向の振動はバネ１９で、水平方向の振動はブッシュ２３でダンピングされる。
【００６１】
そのため、ブラケット１３の振動はホッパ５には伝わり難くなり、さらに上方の緩衝ゴム４でダンピングされるので、シンク１への振動伝達を阻止することが可能になる。これにより、静かに厨芥を処理することができる。
【００６２】
なお、図６においてバネ１９はブラケット側支持片２１の下方とホッパ支持片２０の上方に装着されているが、ホッパ側支持片２０とブラケット側支持片２１との間に装着したり、ブラケット側支持片２１の下方、ホッパ側支持片２０の上方、およびホッパ側支持片２０とブラケット側支持片２１との間の３箇所に装着してもよい。
【００６３】
【発明の効果】
以上のように、本発明によれば、振動するモータを保持するモータハウジングは弾性体を介して中空構造体に固定されているので、モータハウジングの振動がダンピングされて中空構造体には伝わり難くなり、シンクへの振動伝達を阻止することが可能になるという有効な効果が得られる。
【図面の簡単な説明】
【図１】本発明の実施の形態１によるディスポーザを示す断面図
【図２】図１のディスポーザにおけるブラケットとホッパとの接続部を示す断面図
【図３】本発明の実施の形態２によるディスポーザを示す断面図
【図４】図３のディスポーザにおけるブラケットとホッパとの接続部を示す断面図
【図５】本発明の実施の形態３によるディスポーザを示す断面図
【図６】図５のディスポーザにおけるブラケットとホッパとの接続部を示す断面図
【符号の説明】
５  ホッパ（中空構造体）
６  固定刃
１２  排出溝（粉砕物流入部）
１３  ブラケット（モータハウジング）
１４  モータ
１５  シャフト
１８  ボルト（支持棒）
１９  バネ（弾性体）
２０  ホッパ側支持片（中空構造体側支持片）
２１  ブラケット側支持片（モータハウジング側支持片）
２２  スペーサ
２３  ブッシュ（弾性体）
２４  ナット（ストッパ）
２５  粉砕室
２６  投入口
２７  回転刃
【図１】
0004701535.tif 000002
【図２】
0004701535.tif 000003
【図３】
0004701535.tif 000004
【図４】
0004701535.tif 000005
【図５】
0004701535.tif 000006
【図６】
0004701535.tif 000007